(57)【特許請求の範囲】
【請求項１】
受信ベースバンド信号に含まれるトーンスケルチ信号を検出する無線機であって、
前記受信ベースバンド信号に対して直交復調を行うことによって、予め設定された前記トーンスケルチ信号の周波数分だけ負の周波数方向にシフトする周波数シフト部と、
前記周波数シフト部の出力から不要周波数成分を除去する複数のＬＰＦと、
前記複数のＬＰＦの出力に基づいて周波数復調を行って瞬時周波数を検出する周波数復調部と、
前記複数のＬＰＦの出力の電力を検出する電力検出部と、
前記周波数復調部が検出した前記瞬時周波数が所定周波数範囲であり、かつ、前記電力検出部が検出した電力が所定電力以上であるときにトーンスケルチ信号有りと判定する判定部と、
を備えることを特徴とする無線機。
【請求項２】
受信ベースバンド信号に含まれるトーンスケルチ信号を検出する無線機であって、
前記受信ベースバンド信号に対して直交復調を行うことによって、予め設定された前記トーンスケルチ信号の周波数分だけ負の周波数方向にシフトする周波数シフト部と、
前記周波数シフト部の出力から不要周波数成分を除去する複数のＬＰＦを有する第１のＬＰＦと、
前記周波数シフト部の出力から不要周波数成分を除去する第２のＬＰＦと、
前記第１のＬＰＦの出力に基づいて周波数復調を行って瞬時周波数を検出する周波数復調部と、
前記第２のＬＰＦの出力の電力を検出する電力検出部と、
受信待受け状態において、前記周波数復調部で検出した瞬時周波数が第１の所定時間連続して所定周波数範囲内であったときにトーンスケルチ信号有りと判定し、受信状態において、前記電力検出部で検出した電力が第２の所定時間連続して所定電力値以下となったときにトーンスケルチ信号無しと判定する判定部と、
を備えることを特徴とする無線機。
【請求項３】
前記第２のＬＰＦは、前記第１のＬＰＦよりも遮断特性が急峻に設定され、
前記判定部は、受信待受け状態において、前記周波数復調部で検出した瞬時周波数が第１の所定時間連続して所定周波数範囲内であったときにトーンスケルチ信号有りと判定して第１の受信状態に状態遷移し、前記第１の受信状態に状態遷移してから第３の所定時間経過後に第２の受信状態に状態遷移し、前記第２の受信状態において、前記電力検出部で検出した電力が第２の所定時間連続して所定電力値以下となったときにトーンスケルチ信号無しと判定することを特徴とする請求項２に記載の無線機。
【請求項４】
前記第２のＬＰＦは、通過域が前記トーンスケルチ信号の許容誤差周波数に設定され、
前記第１のＬＰＦは、通過域が、前記第２のＬＰＦの通過域よりも高い周波数に設定されることを特徴とする請求項２または３に記載の無線機。
【請求項５】
前記第１のＬＰＦの通過域は、前記トーンスケルチ信号の周波数未満であり、かつ、音声信号の帯域から前記トーンスケルチ信号の周波数を減算した周波数未満であることを特徴とする請求項２から４のいずれかに記載の無線機。
【発明の詳細な説明】
【技術分野】
【０００１】
本発明は、無線機に係り、特に、トーンスケルチ信号検出においてトーン信号を確実に検出し、検出時間を短縮できる無線機に関する。
【背景技術】
【０００２】
［従来の技術］
無線機において、無信号時にスピーカから出力される耳障りで不快な雑音（ノイズ）や、交信する必要のない相手方の送信する音声を遮断し、無音状態にするためにスケルチ回路が設けられる。
【０００３】
［スケルチ回路の方式］
スケルチ回路の方式には、（１）キャリアスケルチ、（２）ノイズスケルチ、（３）トーンスケルチ、（４）デジタルコードスケルチがある。
キャリアスケルチは、受信キャリアのレベルによりスピーカをミュート（消音）する方式である。ノイズスケルチは、復調器出力のノイズ成分を検出し、そのレベルによりスピーカをミュートする方式である。両者は送信側で特別な信号を付加する必要がない。
【０００４】
一方、トーンスケルチは、ベースバンド信号の低域（例えば０〜３００Ｈｚの帯域）にトーンを重畳し、受信側でそのトーンを検出してスピーカのミュートの制御を行う方式である。デジタルコードスケルチは、ベースバンド信号の０〜３００Ｈｚの帯域にＮＲＺ（Non Return to Zero）の符号列を重畳して、受信側でその符号列を検出してスピーカのミュートの制御を行う方式である。
以下、トーンスケルチに関して、従来技術の説明を行う。
【０００５】
［トーンスケルチ信号］
例えば、標準規格「４００ＭＨｚ帯簡易無線局の無線設備」（ＲＣＲ  ＳＴＤ−１０  ４．１版）では、６７Ｈｚから２５０．３Ｈｚの周波数範囲の中に、３３種類（周波数）のトーンスケルチ信号が規定されている。
上記標準規格に準拠した無線機では、これら３３種類のトーンスケルチ信号の全てを識別する必要がある。これら３３種類のトーンスケルチ信号の中で、周波数が最も隣接しているのは１００Ｈｚのトーンスケルチ信号と１０３．５Ｈｚのトーンスケルチ信号であり、その差は３．５Ｈｚである。
【０００６】
［従来の第１のトーンスケルチ検出部：図８（ａ）］
従来の第１のトーンスケルチ検出部について図８（ａ）を参照して説明する。図８（ａ）は、従来の第１のトーンスケルチ検出部の構成ブロック図である。尚、図８（ａ）の構成では、バンドパスフィルタ（ＢＰＦ）でトーン成分を検出する方法を用いる。
従来の第１のトーンスケルチ検出部は、図示のように、ローパスフィルタ（ＬＰＦ：Low Pass Filter：低域通過フィルタ）８０１と、ダウンサンプラ（ＤＳ）８０２と、バンドパスフィルタ（ＢＰＦ）８０３と、２乗演算部８０４と、ローパスフィルタ（ＬＰＦ）８０５と、判定部８０６と、前方／後方保護処理部８０７とを備えている。
【０００７】
［従来の第１のトーンスケルチ検出部の動作］
従来の第１のトーンスケルチ検出部の動作を説明する。
ＬＰＦ８０１により、ベースバンド信号から３００Ｈｚ以下の成分のみを取り出し、ダウンサンプラ７０２によりサンプリング周波数を落とした後、ＢＰＦ８０３により所望のトーン周波数成分のみ抽出する。
【０００８】
ＢＰＦ８０３により抽出したトーン信号をする目的で２乗演算部８０４とＬＰＦ８０５に通し、判定部８０６でそのレベル判定を行い、判定しきい値より高い場合は”１”を、そうでない場合は”０”を、前方／後方保護処理部８０７に入力する。
前方／後方保護処理部８０７は、後方保護段数ＮB 回連続で”１”が入力されると”１”を出力し、アンミュート制御を行い、前方保護段数ＮF 回連続で”０”が入力されると”０”を出力し、ミュート制御を行う。
【０００９】
ここで、ＬＰＦ８０１は、その後段のダウンサンプラ８０２でダウンサンプルすることによる周波数の折り返しを防ぐ目的で用いられているので、急峻な特性である必要はなく、群遅延は小さくできる。
しなしながら、ＢＰＦ８０３は、前述の３３種類のトーン信号を識別するため、例えば、通過域をｆTONE−２Ｈｚ≦ｆ≦ｆTONE＋２Ｈｚ、遮断域をｆ≦ｆTONE−３Ｈｚ，ｆ≧ｆTONE＋３Ｈｚ（ｆTONEは識別しようとするトーン信号の周波数）のように狭帯域とする必要があり、このような条件でフィルタを設計すると、群遅延が１００〜２００ｍｓと大きくなってしまう。
【００１０】
さらに、ＢＰＦ８０５（例えば８０ｍｓ）と前方/後方保護処理部８０７（例えば７０ｍｓ）で遅延が発生（合計３６０ｍｓ＝２００＋８０＋８０）するため、上述の標準規格で規定される受信レスポンスタイム２５０ｍｓ以下を実現するのが困難である。
【００１１】
［従来の第２のトーンスケルチ検出部：図８（ｂ）］
従来の第２のトーンスケルチ検出部について図８（ｂ）を参照しながら説明する。図８（ｂ）は、従来の第２のトーンスケルチ検出部の構成ブロック図である。尚、図８（ｂ）の構成では、時間波形の周期検出による方法を用いる。
従来の第２のトーンスケルチ検出部は、図示のように、ローパスフィルタ（ＬＰＦ）８０８と、周期検出部８０９と、判定部８１０と、前方／後方保護処理部８１１とを備えている。
【００１２】
［従来の第２のトーンスケルチ検出部の動作］
従来の第２のトーンスケルチ検出部の動作を説明する。
ＬＰＦ８０８により、ベースバンド信号から例えば２５０Ｈｚ以下の成分を取り出し、周期検出部８０９によりその周期を検出し、判定部８１０に入力する。
判定部８１０は、入力された周期が所望のトーン信号の周波数に対応する周期の範囲に入っているか否かを判定し、範囲内であれば”１”を、そうでなければ”０”を前方／後方保護処理部８１１に入力する。
前方／後方保護処理部８１１は、従来の第１のトーンスケルチ検出部の場合と同様の動作をし、その結果により、スピーカのアンミュートの制御、又はミュートの制御を行う。
【００１３】
ここで、ＬＰＦ８０８は、上記した標準規格で規定されるトーンスケルチ信号で最も高い周波数は２５０．３Ｈｚであることから、通過域はｆ≦２５０Ｈｚに設定し、音声帯域が３００Ｈｚ以上であることから、遮断域（阻止域）はｆ≧３００Ｈｚに設定する。
第２のトーンスケルチ検出部では、周期検出によりトーンスケルチ信号の周波数を推定するので、例えば、推定周波数誤差を所望のトーンスケルチ信号の周波数の３％以内とするためには、サンプリング周波数はｆs ≧ｆTONE／０．０３＝２５０．３Ｈｚ／０．０３＝８．３ｋＨｚ（ｆTONEを最高周波数の２５０．３Ｈｚとした場合）となり、トーンスケルチ信号の周波数の３０倍以上のサンプリング周波数が必要となる。
【００１４】
また、周期検出はゼロクロス（交流電源のオン・オフの切り替えの際に交流電圧のゼロ地点（ゼロクロス点）の通過を検出する）により行うため、受信キャリアの周波数偏差により現れるベースバンド信号のＤＣオフセット除去が必要となる。
更に、受信入力の信号のピーク電力と雑音のピーク電力が等しくなるスレッショールドレベルより低い受信入力レベルにおいては、ベースバンド信号にパルス状の雑音が現れるため、周期検出の精度が大幅に劣化する。
【００１５】
［関連技術］
尚、関連する先行技術として、特開２００９−１７７５２３号公報「ＦＭ無線受信装置」［特許文献１］がある。
【先行技術文献】
【特許文献】
【００１６】
【特許文献１】特開２００９−１７７５２３号公報
【発明の概要】
【発明が解決しようとする課題】
【００１７】
従来の第１のトーンスケルチ検出部における帯域幅の狭い（Ｑの高い）ＢＰＦにより所望のトーン成分を検出する方法では、ＢＰＦの群遅延が大きくなるという問題点があった。
【００１８】
また、従来の第２のトーンスケルチ検出部における時間波形の周期を検出して周波数を推定する方法では、サンプリング周波数を信号成分に対して非常に高くする必要があり、更にＤＣオフセット補正が必要であるため、低受信入力レベルでの検出精度が劣化するという問題点があった。
【００１９】
本発明は上記実情に鑑みて為されたもので、第１の目的は、トーンスケルチ信号を短時間で確実に検出する無線機を提供することにあり、第２の目的は、周波数検出に必要なサンプリング周波数を低くすることのできる無線機を提供することにある。
【課題を解決するための手段】
【００２０】
上記課題を解決するために、本発明に係る無線機にあっては、受信ベースバンド信号に含まれるトーンスケルチ信号を検出する無線機であって、前記受信ベースバンド信号を、予め設定された前記トーンスケルチ信号の周波数分だけ負の周波数方向にシフトする周波数シフト部と、前記周波数シフト部の出力から不要周波数成分を除去するＬＰＦと、前記ＬＰＦの出力に基づいてトーンスケルチ信号の有無を判定する判定部と、を備えるように構成した。
【発明の効果】
【００２１】
本発明によれば、受信ベースバンド信号に含まれるトーンスケルチ信号を検出する無線機であって、前記受信ベースバンド信号を、予め設定された前記トーンスケルチ信号の周波数分だけ負の周波数方向にシフトする周波数シフト部と、前記周波数シフト部の出力から不要周波数成分を除去するＬＰＦと、前記ＬＰＦの出力に基づいてトーンスケルチ信号の有無を判定する判定部と、を備えるように構成したので、トーンスケルチ信号を短時間で確実に検出することができる。
【図面の簡単な説明】
【００２２】
【図１】本発明の第１の実施の形態に係る無線機の構成を示すブロック図である。
【図２】図１のトーンスケルチ検出部の構成を示すブロック図である。
【図３】図１のトーンスケルチ検出部における内部信号スペクトルを示す図である。
【図４】本発明の第２の実施の形態に係る無線機の構成を示すブロック図である。
【図５】図４に示すトーンスケルチ検出部の構成を示すブロック図である。
【図６】図４のトーンスケルチ検出部における内部信号スペクトルを示す図である。
【図７】図４のトーンスケルチ検出部で実行される処理の概要を示す説明図である。
【図８】従来のトーンスケルチ検出部の構成を示すブロック図である。
【発明を実施するための形態】
【００２３】
本発明の実施の形態について図面を参照しながら説明する。
【００２４】
［無線機］
本発明の実施の形態に係る無線機は、アナログＦＭ（Frequency Modulation）変調方式の無線機であり、図１にその構成を示す。
なお、図１に示す無線機では、上述した標準規格のトーンスケルチ信号を用いるものとする。
【実施例１】
【００２５】
図１に示すように、無線機１は、アンテナ１０１と、アンテナスイッチ１０２と、受信ＲＦ（Radio Frequency）／ＩＦ（Intermediate
Frequency）部１０３と、Ａ／Ｄ（Analogue to Digital）変換器１０４と、周波数復調部１０５と、ＢＰＦ（Band Pass Filter：帯域通過フィルタ）１０８と、Ｄ／Ａ（Digital
to Analogue）変換器１０９と、オーディオアンプ１１０と、スピーカ１１１と、トーンスケルチ検出部１１２とを備えている。
【００２６】
なお、Ａ／Ｄ変換器１０４と周波数復調部１０５の代わりに、接続の順序を逆にし、周波数復調部１０６とＡ／Ｄ変換器１０７で構成するようにしてもよい。ここで、周波数復調部１０６は、アナログ回路によって周波数復調を行うものである。
また、無線機１は送信系も備えるが、送信系の構成は、トーンスケルチ機能を搭載した一般的なアナログＦＭ変調方式の無線機と同様であり、本発明の要旨とは直接の関係を有しないため図示および説明は省略する。
【００２７】
［受信動作］
アンテナ１０１から受信したＦＭ変調信号は、アンテナスイッチ１０２を経由して受信ＲＦ／ＩＦ部１０３で増幅され、周波数変換されてＩＦ信号となる。
ＩＦ信号は、Ａ／Ｄ変換器１０４でサンプリングされ、量子化されてデジタル信号に変換される。
変換されたデジタル信号は、周波数復調部１０５で周波数復調され、ベースバンド信号がＢＰＦ１０８とトーンスケルチ検出部１１２に入力される。
【００２８】
若しくは、受信ＲＦ／ＩＦ部１０３で周波数変換されたＩＦ信号は、周波数部１０６で周波数復調され、更にＡ／Ｄ変換器１０７でサンプリングされ、量子化されてデジタル信号に変換される。変換されたデジタル信号は、ＢＰＦ１０８とトーンスケルチ検出部１１２に入力される。
【００２９】
ＢＰＦ１０８は、周波数復調部１０５あるいはＡ／Ｄ変換器１０７から入力されるベースバンド信号から音声成分である３００Ｈｚ〜３ｋＨｚの成分を取り出し、Ｄ／Ａ変換器１０９でアナログ信号に変換し、その後、オーディオアンプ１１０を経由してスピーカ１１１に出力される。
【００３０】
尚、ＢＰＦ１０８とＤ／Ａ変換器１０９との間、あるいはＤ／Ａ変換器１０９とオーディオアンプ１１０との間には、一般に、出力電圧が周波数に逆比例する処理を施すディエンファシス（de-emphasis）回路、音声信号のダイナミックレンジを伸長するエキスパンダ回路、秘話を解除する秘話解除回路が含まれるが、ここでは省略する。
【００３１】
トーンスケルチ検出部１１２は、周波数復調部１０５或いはＡ／Ｄ変換器１０７から入力されるベースバンド信号から０〜３００Ｈｚの成分を抽出し、その中に含まれるトーン信号の識別を行い、所望のトーン信号が含まれる場合に、オーディオアンプ１１０に対してアンミュート（発音）の制御を行い、所望のトーン信号が含まれない場合はミュート（消音）の制御を行う。
【００３２】
［トーンスケルチ検出部］
本発明の第１の実施の形態に係るトーンスケルチ検出部１１２について図２を参照して説明する。図２は、トーンスケルチ検出部１１２の構成を示すブロック図である。
トーンスケルチ検出部１１２は、図示のように、ローパスフィルタ（ＬＰＦ）２０１と、ダウンサンプラ（ＤＳ）２０２と、直交復調部２０３と、２つのローパスフィルタ（ＬＰＦ）２０４-1，２０４-2と、周波数復調部２０５と、ローパスフィルタ（ＬＰＦ）２０６と、電力検出部２０７と、ローパスフィルタ（ＬＰＦ）２０８と、判定部２０９と、前方／後方保護処理部２１０とを有している。
【００３３】
トーンスケルチ検出部１１２の各部について具体的に説明する。
ＬＰＦ２０１は、入力されるベースバンド信号ｘ（ｔ）について低域の周波数を通過させるフィルタであり、通過域は３００Ｈｚに設定される。即ち、ＬＰＦ２０１は、音声送信に用いられる３００Ｈｚ以上の信号を除去し、３００Ｈｚより低域の信号を通過させる。
【００３４】
ダウンサンプラ（ＤＳ）２０２は、ＬＰＦ２０１を通過した信号についてダウンサンプリングしてサンプリング周波数を下げ、トーンスケルチ信号ｓ（ｔ）を直交復調部１０３に出力する。
直交復調部２０３は、ＤＳ２０２から入力されるトーンスケルチ信号ｓ（ｔ）について周波数を−ｆTONEだけシフト（自機に設定されたトーンスケルチ信号、即ち、受信した場合にアンミュートとするトーンスケルチ信号の周波数だけ負の周波数方向にシフト）させ、直交復調し、直交復調出力ｑ（ｔ）の実数部をＬＰＦ２０４-1に、虚数部をＬＰＦ２０４-2に出力する。
尚、直交復調部による周波数シフトに代え、ＦＦＴを行って周波数領域で処理し、ＩＦＦＴを行うことも考えられる。ただし、処理量の観点から、直交復調部による周波数シフトの方が好適である。
【００３５】
ＬＰＦ２０４-1とＬＰＦ２０４-2は、それぞれ、直交復調出力ｑ（ｔ）の実数部と虚数部について低域の周波数を通過させ、不要な周波数成分を除去するフィルタである。
ＬＰＦ２０４-1，２０４-2は、具体的には通過域が１０Ｈｚに設定され（即ち、通過域のエッジ周波数（カットオフ周波数）が１０Ｈｚに設定され）、遮断域（阻止域）が２０Ｈｚに設定される（即ち、遮断域のエッジ周波数が２０Ｈｚに設定される）。なお、この明細書で遮断域とは、通過する信号の減衰量が任意の減衰量（たとえば−３０ｄＢ）となる周波数帯を意味する。
なお、本実施例で使用される各ＬＰＦとしては、例えばデジタルフィルタ（ＩＩＲ（Infinite impulse response）フィルタ）を用いる。
【００３６】
周波数復調部２０５は、ＬＰＦ２０４-1の出力信号Ｒｅ[ｑ´（ｔ）]と、ＬＰＦ２０４-2の出力信号Ｉｍ[ｑ´（ｔ）]を入力し、周波数復調を行って瞬時周波数ｆ（ｔ）を検出し、その瞬時周波数ｆ（ｔ）をＬＰＦ２０６に出力する。
周波数復調部２０５は、具体的には、位相検出部と微分処理部とから構成される。位相検出部では、下式によって複素平面上の位相（時間tの関数である瞬時位相）を求める。
θ(t)=tan-1(虚数/実数)
また、微分処理部では、θ(t)を下式の如く時間微分することによって瞬時周波数f(t)を求める。
f(t)=dθ(t)/dt
【００３７】
ＬＰＦ２０６は、周波数復調部２０５から入力された瞬時周波数ｆ（ｔ）のゆらぎを平滑化し、判定部２０９に出力する。
【００３８】
電力検出部２０７は、ＬＰＦ２０４-1の出力信号Ｒｅ[ｑ´（ｔ）]と、ＬＰＦ２０４-2の出力信号Ｉｍ[ｑ´（ｔ）]を入力し、電力検出を行って、瞬時電力ｐ（ｔ）をＬＰＦ２０８に出力する。尚、電力検出は、例えば、信号Ｒｅ[ｑ´（ｔ）]の２乗値と 信号Ｉｍ[ｑ´（ｔ）]の２乗値を加算して求める。
ＬＰＦ２０８は、電力検出部２０７から入力された瞬時電力ｐ（ｔ）のゆらぎを平滑化し、判定部２０９に出力する。
【００３９】
判定部２０９は、ＬＰＦ２０６で平滑化された周波数（周波数情報）を入力すると共に、ＬＰＦ２０８で平滑化された電力（電力情報）を入力し、周波数情報が予め設定された所定周波数範囲（±ｆth。例えば０Ｈｚ±２Ｈｚ）内か否かを判定し、更に、電力情報が予め設定された所定電力値以上か否かを判定する。
【００４０】
そして、判定部２０９は、周波数情報が予め設定された所定周波数範囲内であって、電力情報が予め設定された所定電力値以上である場合に、前方／後方保護処理部２１０に“１”を出力し、周波数情報が予め設定された所定周波数範囲外である場合、若しくは周波数情報が予め設定された範囲内であって、電力情報が予め設定された所定電力値未満である場合に、前方／後方保護処理部２１０に“０”を出力する。
【００４１】
前方／後方保護処理部２１０は、後方保護段数ＮB 回連続で判定部２０９から”１”が入力されるとオーディオアンプ１１０に対してアンミュート制御（ミュートＯＦＦ）を行い、前方保護段数ＮF 回連続で判定部２０９から”０”が入力されるとオーディオアンプ１１０に対してミュート制御（ミュートＯＮ）を行う。
【００４２】
ここで、判定部２０９における判定が、周波数情報と電力情報の両方に基づいて行われる理由について説明する。
送信側でトーンスケルチ信号を載せていない信号を受信側で復調すると、トーンスケルチ信号が重畳される０〜３００Ｈｚの帯域には信号がなく、その帯域には受信機の熱雑音（受信機のＲＦの入力レベルにより変わる）のみが検出され得る状態となる。
【００４３】
トーンスケルチ信号の周波数は、これを周波数復調して検出するため、熱雑音により、検出周波数がランダムに変化する。ランダムに変化するため、所望の周波数範囲（上述した所定周波数範囲（±ｆth））内からはずれていることが多いが、時々±ｆthの範囲に入り、誤検出する可能性がある。そこで、トーンスケルチ信号の電力情報もアンド条件として見るようにしている。
また、送信側でトーンスケルチ信号を重畳させる場合は、その振幅が規定されているので、判定部２０９では、それよりも十分低い電力値を上記した所定電力値として使用する。
【００４４】
［内部信号スペクトル］
次に、トーンスケルチ検出部１１２における内部信号スペクトルについて図３を参照して説明する。
図３（ａ）では、ＬＰＦ２０１に入力されるベースバンド信号ｘ（ｔ）のスペクトルを表し、図３（ｂ）では、ＤＳ２０２からのトーンスケルチ信号ｓ（ｔ）のスペクトルを表し、図３（ｃ）では、直交復調部２０３からの直交復調出力ｑ（ｔ）を表し、図３（ｄ）では、ＬＰＦ２０４-1，２０４-2からの直交復調出力ｑ´（ｔ）を表している。
【００４５】
［トーンスケルチ検出部の動作］
ＬＰＦ２０１には、周波数復調されたベースバンド信号ｘ（ｔ）が入力される。ベースバンド信号ｘ（ｔ）は、以下の数１に示す式で表すことができる。
【００４６】
【数１】
0005670149.tif 000002
【００４７】
ここで、ｓ（ｔ）は、受信したトーンスケルチ信号で、ｖ（ｔ）は、音声帯域の信号成分である。そして、トーンスケルチ信号ｓ（ｔ）は、以下の数２に示す式で表すことができる。
【００４８】
【数２】
0005670149.tif 000003
【００４９】
ここで、Ａは、送信側で重畳されたトーンスケルチ信号の振幅で、fTONEは、トーンスケルチ信号の周波数(上述した３３種類の信号のいずれかの周波数）、Δｆは、送信側で生成されたトーン周波数の偏差である。
【００５０】
ＬＰＦ２０１は、ベースバンド信号ｘ（ｔ）から音声帯域の信号が含まれる３００Ｈｚ以上の信号成分ｖ（ｔ）を除去したトーンスケルチ信号ｓ（ｔ）を、ダウンサンプラ２０２によりサンプリング周波数を下げ、直交復調部２０３に入力する。
【００５１】
直交復調部２０３は、上記トーンスケルチ信号ｓ（ｔ）の周波数を−ｆTONEだけシフトし、直交復調した実数部をＬＰＦ２０４-1に、虚数部をＬＰＦ２０４-2へそれぞれ入力する。
直交復調部２０３で、周波数をシフトさせなければ、本来、−ｆTONE−ΔｆとｆTONE＋Δｆの成分が出力されることになるが、周波数を−ｆTONEだけシフトさせることで、−２ｆTONE−ΔｆとΔｆの成分が出力されることになる。
直交復調部２０３からの直交復調出力ｑ（ｔ）は、以下の数３に示す式で表すことができる。
【００５２】
【数３】
0005670149.tif 000004
【００５３】
直交復調出力ｑ（ｔ）のスペクトルは、図３の（ｃ）に示すように、Δｆの成分と−２ｆTONE−Δｆの成分が含まれ、−２ｆTONE−Δｆの成分は不要であるから、ＬＰＦ２０４-1及びＬＰＦ２０４-2により除去する。
つまり、直交復調部２０３で周波数を−ｆTONEだけシフトさせたのは、ＬＰＦ２０４-1，ＬＰＦ２０４-2で−２ｆTONE−Δｆの成分を除去しやすくするためである。
ＬＰＦ２０４-1，ＬＰＦ２０４-2の出力は、上記数３に示す式の第２項が除去され、以下の数４に示す式で表すことができる。
【００５４】
【数４】
0005670149.tif 000005
【００５５】
周波数復調部２０５は、ｑ´（ｔ）の瞬時周波数ｆ（ｔ）を検出する。雑音が無い状態では、その出力は、送信側で生成したトーン周波数の偏差Δｆそのものが検出されるが、受信レベルによっては、図１に示す周波数復調部１０５又は周波数復調部１０６に入力される雑音により、ｘ（ｔ）にパルス状の雑音が重畳され、検出周波数がゆらぐことになる。
【００５６】
そこで、ＬＰＦ２０６によって、検出周波数のゆらぎを平滑化する。また、０〜３００Ｈｚにスケルチ信号が重畳されていない場合を検出から除外するため、電力検出部２０７により、ｑ´（ｔ）の瞬時電力ｐ（ｔ）を算出する。瞬時電力ｐ（ｔ）は、以下の数５に示す式で表すことができる。
【００５７】
【数５】
0005670149.tif 000006
【００５８】
瞬時電力ｐ（ｔ）も瞬時周波数ｆ（ｔ）と同様に、受信レベルによってはゆらぐため、ＬＰＦ２０８により平滑化を行う。
判定部２０９は、ＬＰＦ２０６から出力される周波数情報と、ＬＰＦ２０８から入力される電力情報を入力し、周波数情報が、あらかじめ設定される所定周波数範囲（±ｆth（例えばｆth＝２Ｈｚ））内であり、かつ電力情報があらかじめ設定される所定電力値ｐth（例えばｐth＝０．１×Ａ2／４（Ａ2／４の−２０ｄＢ））以上ならば、前方／後方保護処理部２１０へ”１”を入力し、そうでなければ、”０”を入力する。前方／後方保護処理部２１０の動作は、従来技術と変わらないため、説明を省略する。
【００５９】
ＬＰＦ２０６とＬＰＦ２０８の平滑化処理及び前方／後方保護処理部２１０の前方保護の処理により、受信レベルが低く、ベースバンド信号にパルス状の雑音が重畳される場合においても、安定してトーンスケルチ信号を検出してスピーカ８１１をアンミュートすることができる。また、前方/後方保護処理部２１０の後方保護処理により、電波が入感していない場合の誤検出を防ぐことができる。
【００６０】
上述した標準規格ではトーン周波数が３３種類あるが、本実施の形態に係るトーンスケルチ検出回路では、そのうちの任意（１種類）の信号を検出する。
実際の使い方としては、無線機の設定で、３３種類のうち、１種類の周波数を設定し、送信する場合は、設定した周波数のトーンスケルチ信号を音声に重畳して送信し、受信側は、設定した周波数と同じ周波数のトーンスケルチ信号を検出した場合のみスピーカを鳴らす（アンミュート制御する）ものである。
なお、トーンスケルチ信号の周波数の設定は、製造時に無線機固有の値として上記３３種類の中から任意に選定して設定してもよいし、無線機に設けられた図示しないスイッチ等によってユーザ等によって任意の値に設定してもよい。
【００６１】
また、受信キャリアの周波数偏差によるベースバンド信号ｘ（ｔ）のＤＣオフセットは、ＬＰＦ２０４-1，ＬＰＦ１０４-2の帯域外成分となって除去されるため、ＤＣオフセット補正の必要がない。
【００６２】
ここで、受信キャリアの周波数偏差によるベースバンド信号のＤＣオフセットはＬＰＦ２０４-1，ＬＰＦ２０４-2の通過域外成分となることの理由について説明する。
ＤＣオフセットは、ＤＳ２０２から出力されたトーンスケルチ信号ｓ（ｔ）（図３（ｂ））の時点では０Ｈｚである。
【００６３】
直交復調部２０３の出力（図３（ｃ））では、−ｆTONE（Ｈｚ）だけ周波数シフトするため、上記ＤＣ成分は−ｆTONE（Ｈｚ）となる。ｆTONE は一番低いもので６７Ｈｚ（上述した標準規格のトーンスケルチ信号で最も低い周波数）であるから、この周波数が一番スペクトルの内側に来ることになり、取り得るＤＣ成分の最小値は−６７Ｈｚということになる。
【００６４】
送信側でのトーン信号の偏差は上述した標準規格において最大で０．５％とされていることから、最も偏差が大きい状態で−６７Ｈｚ×（１−０．０５）＝−６３．６５Ｈｚとなる。
ＬＰＦ２０４-1，ＬＰＦ２０４-2の遮断域は、群遅延を考慮してＱを設定したとしても２０Ｈｚ程度に設定できるので、Δｆを考慮してもＤＣ成分は遮断域となり、完全に除去される。
【００６５】
一例として、ＬＰＦ２０６，ＬＰＦ２０８の処理は、８０ｍｓの移動平均処理を行い、前方保護段数は８０ｍｓに相当する段数を、後方保護段数も８０ｍｓに相当する段数を設定する。
検出に要する時間を積み上げると、ＬＰＦ２０１の群遅延が３ｍｓ以下、ＬＰＦ２０４-1，ＬＰＦ２０４-2の群遅延が５０ｍｓ以下、これに、ＬＰＦ２０６，ＬＰＦ２０８の移動平均処理時間８０ｍｓと後方保護の８０ｍｓを加算し、合計２１３ｍｓ以下となり、上述した受信レスポンスタイム２５０ｍｓ以下を満足できる。
【００６６】
以上のように、本発明の第１の実施の形態に係る無線機１にあっては、直交復調部２０３で受信ベースバンド信号の周波数を、自機に設定されたトーンスケルチ信号、即ち、受信した場合にアンミュートとするトーンスケルチ信号の周波数だけ負の周波数方向に（０Ｈｚに向けて）シフトするようにした。そのため、帯域制限をＬＰＦで実現でき、ＢＰＦで同じ帯域幅を実現した場合と比べ群遅延を大幅に小さくすることが可能なため、トーンスケルチ信号を短時間で確実に検出することができる。
【００６７】
さらに、直交復調後の複素信号を用いるため、実数部と虚数部から位相情報を検出できる。そのため、周波数検出に必要なサンプリング周波数を低く設定することができる。
【００６８】
また、直交復調部２０３の出力信号をフィルタリングするＬＰＦ２０４-1，２０４-2の帯域は、群遅延を考慮しても狭帯域化することができるため、音声の最低周波数である３００Ｈｚや、ＲＦの周波数オフセットによるＤＣ成分（０Ｈｚ）を完全に除去でき、それらによる誤動作を生じることがない。
即ち、トーンスケルチ信号で最大の周波数は２５０．３Ｈｚであるため、音声の最低周波数である３００Ｈｚを２５０．３Ｈｚだけ負の方向にシフトしたとしても、それがＬＰＦ２０４-1，２０４-2を通過することはない。
また、トーンスケルチ信号で最小の周波数は６７Ｈｚであるため、ＤＣ成分（０Ｈｚ）は最大でも−６７Ｈｚ以下になり、同様にＬＰＦ２０４-1，２０４-2を通過することはない。
【００６９】
尚、ＬＰＦ２０４-1，２０４-2の通過域は１０Ｈｚ以下のため、所望のトーン周波数との差が１０Ｈｚ以内のトーン信号は、ＬＰＦ２０４-1，２０４-2を通過する。
しかし、判定部２０９において、３３種類のトーンスケルチ信号の周波数差の最小値（３．５Ｈｚ）未満の判定閾値（所定周波数範囲）を設けることで、所望しないトーン信号による誤動作を抑制することができる。
【００７０】
また、所望のトーン周波数の有無だけではなく、その電力情報も勘案してトーンスケルチ信号の有無を判定しているため、熱雑音による誤動作を抑制することができる。
【実施例２】
【００７１】
トーンスケルチを搭載した無線機においては、一般に、送信側で音声信号の低域成分（本明細書では３００Ｈｚ以下）をＨＰＦにより除去し、その帯域にトーンスケルチ信号を重畳する。しかし、無線機によっては上記ＨＰＦの遮断特性が十分でなく、トーンスケルチ信号を重畳する帯域（３００Ｈｚ以下）に音声成分が残ることがある。
【００７２】
上記した第１の実施の形態にあっては、周波数復調部２０５によりトーンスケルチ信号の周波数検出を行うことにより、トーンスケルチ信号の識別を行うようにしたが、３００Ｈｚ以下の帯域に音声成分が残っていると、周波数復調部２０５による周波数検出に誤動作が生じ、トーンスケルチ信号の識別ができず、通話中にも関わらずミュート制御されて音切れが発生する可能性がある。
【００７３】
また、ＬＰＦ２０４-1，２０４-2（通過域１０Ｈｚ）と周波数復調部２０５により、トーンスケルチ信号の周波数の±１０Ｈｚの成分を取り出し、周波数検出を行うが、受信入力が無くトーンスケルチ検出部１１２にランダムな雑音が入力される場合、その雑音もトーンスケルチ信号の周波数の±１０Ｈｚに帯域制限される。そして、その帯域制限された雑音が周波数復調されることにより、周波数の振れ幅の小さい検出値が判定部２０９に入力されるため、雑音をトーンスケルチ信号と誤検出してしまうおそれがある。
【００７４】
そこで、本発明の第２の実施の形態に係る無線機にあっては、トーンスケルチ信号を短時間で確実に検出すると共に、サンプリング周波数を低くすることに加え、トーンスケルチ信号の重畳帯域（３００Ｈｚ以下）に音声成分が混入した場合であってもトーンスケルチ信号を検出すると共に、無入力時の雑音をトーンスケルチ信号と誤検出しないように改良した。
以下、第１の実施の形態との相違点を中心に、第２の実施の形態に係る無線機について説明する。
【００７５】
［無線機］
図４は、第２の実施の形態に係る無線機の構成を示すブロック図である。図４において、第１の実施の形態に係る無線機１と同じ構成については、無線機１と同じ符号を付し、説明を省略する。
図示の如く、第２の実施の形態に係る無線機２は、トーンスケルチ検出部４１２が無線機１と相違する。
【００７６】
［トーンスケルチ検出部］
図５は、トーンスケルチ検出部４１２の構成を示すブロック図である。
図示のように、トーンスケルチ検出部４１２は、バンドパスフィルタ（ＢＰＦ）５０１と、ダウンサンプラ（ＤＳ）５０２と、直交復調部５０３と、２つのローパスフィルタ（ＬＰＦ）５０４-1，５０４-2と、周波数復調部５０５と、ローパスフィルタ（ＬＰＦ）５０６と、２つのローパスフィルタ（ＬＰＦ）５０７-1，５０７-2と、電力検出部５０８と、ローパスフィルタ（ＬＰＦ）５０９と、判定部５１０とを有している。
【００７７】
トーンスケルチ検出部４１２の各部について具体的に説明する。
ＢＰＦ２０１は、入力されるベースバンド信号ｘ（ｔ）について所定の帯域のみ通過させるフィルタであり、トーンスケルチ信号の周波数範囲外の信号を遮断する。上述した標準規格においてトーンスケルチ信号の周波数範囲は６７Ｈｚから２５０．３Ｈｚであることから、ＢＰＦの通過域は、例えば６０から２６０Ｈｚに設定する。
なお、ＢＰＦ２０１に代え、第１の実施の形態に係る無線機１と同様にＬＰＦを用いてもよい。
【００７８】
ダウンサンプラ（ＤＳ）５０２は、ＢＰＦ５０１を通過した信号についてダウンサンプリングしてサンプリング周波数を下げ、トーンスケルチ信号ｓ（ｔ）を直交復調部５０３に出力する。
直交復調部５０３は、ＤＳ５０２から入力されるトーンスケルチ信号ｓ（ｔ）について周波数を−ｆTONEだけシフト（自機に設定されたトーンスケルチ信号、即ち、受信した場合にアンミュートとするトーンスケルチ信号の周波数だけシフト）させ、直交復調し、直交復調出力ｑ（ｔ）の実数部と虚数部を出力する。
【００７９】
ＬＰＦ５０４-1とＬＰＦ５０４-2は、それぞれ、直交復調出力ｑ（ｔ）の実数部と虚数部について低域の周波数を通過させ、不要な周波数成分を除去するフィルタである。
ＬＰＦ５０４-1，５０４-2は、トーンスケルチ信号の周波数（ｆTONE＝６７Ｈｚから２５０．３Ｈｚ）に対して、ＤＣ成分（ＬＰＦ５０４-1，５０４-2の入力では−ｆTONE）と、音声信号の伝送に使用される３００Ｈｚ以上の成分（ＬＰＦ５０４-1，５０４-2の入力では３００−ｆTONE）が除去できるよう、例えば通過域が３５Ｈｚに設定され、遮断域が４５Ｈｚに設定される。すなわち、ＬＰＦ５０４-1，５０４-2の通過域は、受信する可能性のあるトーンスケルチ信号の最低周波数（６７Ｈｚ）未満であり、かつ、音声信号が重畳される最低周波数（３００Ｈｚ）から受信する可能性のあるトーンスケルチ信号の最高周波数（２５０．３Ｈｚ）を減算した周波数未満に設定される。
なお、本実施例で使用する各ＬＰＦとしては、第１の実施の形態と同様に、例えばデジタルフィルタ（ＩＩＲフィルタ）を用いる。
【００８０】
周波数復調部５０５は、ＬＰＦ５０４-1の出力信号Ｒｅ[ｑ１´（ｔ）]と、ＬＰＦ２０４-2の出力信号Ｉｍ[ｑ１´（ｔ）] を入力し、周波数復調を行って瞬時周波数ｆ（ｔ）を検出し、その瞬時周波数ｆ（ｔ）をＬＰＦ５０６に出力する。周波数復調部５０５は、第１の実施の形態と同様に位相検出部と微分処理部とから構成される。
【００８１】
ＬＰＦ５０６は、周波数復調部５０５から入力された瞬時周波数ｆ（ｔ）のゆらぎを平滑化し、判定部５１０に出力する。
【００８２】
ＬＰＦ５０７-1とＬＰＦ５０７-2は、それぞれ、直交復調出力ｑ（ｔ）の実数部と虚数部について低域の周波数を通過させ、不要な周波数成分を除去するフィルタである。ＬＰＦ５０７-1，５０７-2は、所望のトーンスケルチ信号およびその周辺（誤差許容値。例えば±２Ｈｚ）以外の成分が除去できるよう、例えば通過域が２Ｈｚ、遮断域が３Ｈｚに設定される。
【００８３】
電力検出部５０８は、ＬＰＦ５０７-1の出力信号Ｒｅ[ｑ２´（ｔ）]と、ＬＰＦ２０４-2の出力信号Ｉｍ[ｑ２´（ｔ）]を入力し、電力検出を行って、瞬時電力ｐ（ｔ）をＬＰＦ５０９に出力する。尚、電力検出は、例えば、信号Ｒｅ[ｑ２´（ｔ）]の２乗値と 信号Ｉｍ[ｑ２´（ｔ）]の２乗値を加算して求める。
ＬＰＦ５０９は、電力検出部５０８から入力された瞬時電力ｐ（ｔ）のゆらぎを平滑化し、判定部５１０に出力する。
【００８４】
判定部５１０は、ＬＰＦ５０６で平滑化された周波数（周波数情報）を入力すると共に、ＬＰＦ５０９で平滑化された電力（電力情報）を入力し、それらの情報に基づいてトーンスケルチ信号の有無を判定する。判定部５１０は、トーンスケルチ信号有りと判定した場合、オーディオアンプ１１０に対してアンミュート制御（ミュートＯＦＦ）を行い、トーンスケルチ信号無しと判定した場合、オーディオアンプ１１０に対してミュート制御（ミュートＯＮ）を行う。
判定部５１０によるトーンスケルチ信号の有無判定処理については、後に詳説する。
【００８５】
［内部信号スペクトル］
次に、トーンスケルチ検出部４１２における内部信号スペクトルについて図６を参照して説明する。
図６（ａ）では、ＢＰＦ５０１に入力されるベースバンド信号ｘ（ｔ）のスペクトルを表し、図６（ｂ）では、ＤＳ５０２からのトーンスケルチ信号ｓ（ｔ）のスペクトルを表し、図６（ｃ）では、直交復調部５０３からの直交復調出力ｑ（ｔ）を表し、図６（ｄ）では、ＬＰＦ５０４-1，５０４-2からの直交復調出力ｑ１´（ｔ）を表している。
【００８６】
［トーンスケルチ検出部の動作］
ＢＰＦ５０１には、周波数復調されたベースバンド信号ｘ（ｔ）が入力される。ベースバンド信号ｘ（ｔ）は、第１の実施の形態と同様に、以下の数６に示す式で表すことができる。
【００８７】
【数６】
0005670149.tif 000007
【００８８】
ここで、ｓ（ｔ）は、受信したトーンスケルチ信号で、ｖ（ｔ）は、音声帯域の信号成分である。そして、トーンスケルチ信号ｓ（ｔ）は、以下の数７に示す式で表すことができる。
【００８９】
【数７】
0005670149.tif 000008
【００９０】
ここで、Ａは、送信側で重畳されたトーンスケルチ信号の振幅で、fTONEは、トーンスケルチ信号の周波数（上述した３３種類の信号のいずれかの周波数）、Δｆは、送信側で生成されたトーン周波数の偏差である。
【００９１】
ＢＰＦ５０１は、ベースバンド信号ｘ（ｔ）から音声帯域の信号が含まれる３００Ｈｚ以上の信号成分ｖ（ｔ）を除去したトーンスケルチ信号ｓ（ｔ）を、ダウンサンプラ５０２によりサンプリング周波数を下げ、直交復調部５０３に入力する。
【００９２】
直交復調部５０３は、上記トーンスケルチ信号ｓ（ｔ）の周波数を−ｆTONEだけシフトし、直交復調した実数部をＬＰＦ２０４-1とＬＰＦ５０７-1に、虚数部をＬＰＦ２０４-2とＬＰＦ５０７-2へそれぞれ入力する。
直交復調部５０３で、周波数をシフトさせなければ、本来、−ｆTONE−ΔｆとｆTONE＋Δｆの成分が出力されることになるが、周波数を−ｆTONEだけシフトさせることで、−２ｆTONE−ΔｆとΔｆの成分が出力されることになる。
直交復調部５０３からの直交復調出力ｑ（ｔ）は、以下の数８に示す式で表すことができる。
【００９３】
【数８】
0005670149.tif 000009
【００９４】
直交復調出力ｑ（ｔ）のスペクトルは、図６の（ｃ）に示すように、Δｆの成分と−２ｆTONE−Δｆの成分が含まれ、−２ｆTONE−Δｆの成分は不要であるから、ＬＰＦ５０４-1，５０４-2およびＬＰＦ５０７-1，５０７-2により除去する。
つまり、直交復調部５０３で周波数を−ｆTONEだけシフトさせたのは、ＬＰＦ５０４-1，５０４-2およびＬＰＦ５０７-1，５０７-2で−２ｆTONE−Δｆの成分を除去しやすくするためである。
ＬＰＦ２０４-1，ＬＰＦ２０４-2とＬＰＦ５０７-1，ＬＰＦ５０７-2の出力は、上記数３に示す式の第２項が除去され、以下の数９に示す式で表すことができる。
【００９５】
【数９】
0005670149.tif 000010
【００９６】
以下、ＬＰＦ５０４-1，５０４-2の出力をｑ１´（ｔ）と表し、ＬＰＦ５０７-1，５０７-2の出力をｑ２´（ｔ）
周波数復調部５０５は、ｑ１´（ｔ）の瞬時周波数ｆ（ｔ）を検出する。雑音が無い状態では、その出力は、送信側で生成したトーン周波数の偏差Δｆそのものが検出されるが、受信レベルによっては、図４に示す周波数復調部１０５又は周波数復調部１０６に入力される雑音により、ｘ（ｔ）にパルス状の雑音が重畳され、検出周波数がゆらぐことになる。
【００９７】
そこで、ＬＰＦ５０６によって、検出周波数のゆらぎを平滑化する。また、０〜３００Ｈｚにスケルチ信号が重畳されていない場合を検出から除外するため、電力検出部５０８により、ｑ２´（ｔ）の瞬時電力ｐ（ｔ）を算出する。瞬時電力ｐ（ｔ）は、以下の数１０に示す式で表すことができる。
【００９８】
【数１０】
0005670149.tif 000011
【００９９】
瞬時電力ｐ（ｔ）も瞬時周波数ｆ（ｔ）と同様に、受信レベルによってはゆらぐため、ＬＰＦ５０９により平滑化を行う。
【０１００】
ここで、判定部５１０によるトーンスケルチ信号の有無判定処理について説明する。
判定部５１０は、トーンスケルチの立上りの検出には、ＬＰＦ５０６から入力される周波数情報を用い、トーンスケルチの立下りの検出には、ＬＰＦ５０９から入力される電力情報を用いる。
【０１０１】
図７に、判定部５１０によるトーンスケルチ信号の有無判定処理の概要を示す。
図７において、「待受け状態」とは、受信を待受けている状態であり、この状態ではミュートされている。また、「受信状態１」、「受信状態２」とは、トーンスケルチ信号を検出し、アンミュートされている状態である。
【０１０２】
無線機２の起動時における初期状態は、「待受け状態」である。この「待受け状態」では、ＬＰＦ５０６から出力された周波数情報を監視する。
この状態において、検出周波数が所定時間Ｔbw（例えばＴbw＝８０ｍｓ）連続して所定周波数範囲±ｆth（例えばｆth＝２Ｈｚ）であれば、トーンスケルチ信号有りと判定し、オーディオアンプ１１０に対してアンミュート制御を行うと共に、「受信状態１」に状態遷移する。
【０１０３】
「受信状態１」では、周波数情報の監視も電力情報の監視も行わない。この理由は後述する。「受信状態１」の間、オーディオアンプ１１０はアンミュートとされる。
「受信状態１」となって所定時間Ｔdが経過すると、「受信状態２」に状態遷移する。
【０１０４】
「受信状態２」では、ＬＰＦ５０９から出力された電力情報を監視する。「受信状態２」において、検出電力が所定時間Ｔfw（例えばＴfw＝４０ｍｓ）連続して所定電力値Ｐth（例えばＰth＝０．１×Ａ2/Ａ（Ａ2/４の−２０ｄＢ））以下であれば、オーディオアンプ１１０に対してミュート制御を行うと共に、「待受け状態」へ状態遷移する。
【０１０５】
上記のように、「待受け状態」ではＬＰＦ５０６から出力された周波数情報を監視し、「受信状態２」ではＬＰＦ５０９から出力された電力情報を監視する。ここで、ＬＰＦ５０６の前段に位置するＬＰＦ ５０４-1，５０４-2と、ＬＰＦ５０９の前段に位置するＬＰＦ５０７-1，５０７-2とを比較すると、ＬＰＦ５０７-1，５０７-2の方が狭帯域（遮断特性が急峻）に設定されるため、遅延時間が大きい。
そのため、「受信状態１」では、ＬＰＦ５０６に対するＬＰＦ５０９の出力遅延に相当する所定時間Ｔdだけ、アンミュートを維持したまま待機する。
【０１０６】
このように、判定部５１０は、音声信号の受信待受け状態（トーンスケルチ信号を未だ検出していない状態）では、ＬＰＦ５０７-1，５０７-2よりも通過域の広いＬＰＦ ５０４-1，５０４-2により帯域制限を行った信号に基づいて周波数検出を行い、この検出した周波数に基づいてトーンスケルチ信号の有無を判定する。
そのため、音声信号が無入力であるときにランダムな雑音が入力されても、検出周波数が広範囲（ＬＰＦ ５０４-1，５０４-2の通過域）に変動するため、連続してｆthの範囲に入る可能性は低く、トーンスケルチ信号の誤検出を防止できる。
【０１０７】
また、音声信号を受信している状態（トーンスケルチ信号を検出している状態）では、通過域の狭い（トーンスケルチ信号の許容周波数誤差の範囲）ＬＰＦ５０７-1，５０７-2により帯域制限を行った信号に基づいて電力検出を行い、この検出した電力に基づいてトーンスケルチ信号の有無を判定する。
仮にトーンスケルチ信号が重畳される３００Ｈｚ以下の帯域に音声成分が混入したとしても、所望周波数（受信すべきトーンスケルチ信号の周波数）成分の信号を受信している限り、その信号の検出電力は減少しないため、トーンスケルチ信号の検出状態を維持することができる。即ち、３００Ｈｚ以下の帯域に音声成分が混入したとしても、トーンスケルチ信号が識別できなくなることはない。
【０１０８】
以上のように、本発明の第２の実施の形態に係る無線機２にあっては、直交復調部５０３で受信ベースバンド信号の周波数を、所望周波数（自機に設定されたトーンスケルチ信号、即ち、受信した場合にアンミュートとするトーンスケルチ信号）の周波数だけ負の周波数方向に（０Ｈｚに向けて）シフトするようにした。そのため、帯域制限をＬＰＦで実現でき、ＢＰＦで同じ帯域幅を実現した場合と比べ群遅延を大幅に小さくすることが可能なため、トーンスケルチ信号を短時間で確実に検出することができる。
【０１０９】
さらに、直交復調後の複素信号を用いるため、実数部と虚数部から位相情報を検出できる。そのため、周波数検出に必要なサンプリング周波数を低く設定することができる。
【０１１０】
また、音声信号の受信待受け状態ではトーンスケルチ信号の許容周波数誤差の範囲に帯域制限するＬＰＦ５０７-1，５０７-2により通過域の広いＬＰＦ ５０４-1，５０４-2により帯域制限を行った信号に基づいて周波数検出を行い、この検出した周波数に基づいてトーンスケルチ信号の有無を判定するようにしたことから、音声信号が無入力であるときにランダムな雑音が入力されると検出周波数が広範囲に変動するため、連続して所望の周波数範囲に入る可能性は低く、トーンスケルチ信号の誤検出を防止できる。
【０１１１】
また、音声信号を受信している状態では通過域の狭い（トーンスケルチ信号の許容周波数誤差の範囲）ＬＰＦ５０７-1，５０７-2により帯域制限を行った信号に基づいて電力検出を行い、この検出した電力に基づいてトーンスケルチ信号の有無を判定するようにしたことから、仮に３００Ｈｚ以下の帯域に音声成分が混入したとしても、所望周波数成分の信号を受信している限り、その信号の検出電力は減少しないため、トーンスケルチ信号が識別できなくなることもない。
【０１１２】
また、「待受け状態」において、検出した周波数が所定時間連続して所定周波数範囲内であったときにトーンスケルチ信号有りと判定し、「受信状態１」に状態遷移してアンミュートの制御を行い、「受信状態１」に状態遷移してから所定時間経過後に「受信状態２」に状態遷移し、「受信状態２」において、検出電力が所定時間連続して所定電力値以下となったときにトーンスケルチ信号無しと判定し、「待受け状態」に状態遷移してミュート制御を行うようにした。
これにより、ＬＰＦ５０７-1，５０７-2の遮断特性がＬＰＦ ５０４-1，５０４-2よりも急峻に設定される場合において、周波数検出に対する電力検出の遅延を「受信状態１」で吸収することができ、トーンスケルチ信号の検出をより安定に行うことができる。
【０１１３】
また、ＬＰＦ
５０４-1，５０４-2の通過域は、トーンスケルチ信号の周波数未満であり、かつ、音声信号が重畳される最低周波数からトーンスケルチ信号の周波数を減算した周波数未満であるように構成したことから、ＬＰＦ ５０４-1，５０４-2においてＤＣ成分と音声帯域の成分を除去することができ、周波数検出の精度をより向上させることができる。
【符号の説明】
【０１１４】
１，２・・・無線機、
２０３，５０３・・・直交復調部（周波数シフト部）、
２０４・・・ＬＰＦ、
２０５，５０５・・・周波数復調部（周波数検出部）、
２０８・・・電力検出部
２０９・・・判定部
５０４・・・ＬＰＦ（第１のＬＰＦ）、
５０７・・・ＬＰＦ（第２のＬＰＦ）、
５０８・・・電力検出部
５１０・・・判定部
【図１】
0005670149.tif 000012
【図２】
0005670149.tif 000013
【図３】
0005670149.tif 000014
【図４】
0005670149.tif 000015
【図５】
0005670149.tif 000016
【図６】
0005670149.tif 000017
【図７】
0005670149.tif 000018
【図８】
0005670149.tif 000019